(57)【要約】【課題】ＩＤ等の重要な認証情報を外部から読み取ることのできない無線タグを利用したキー装置を提供せんとするものである。【解決手段】本発明ではキー１内に無線タグ３を内臓している。無線タグ３は、リーダライタ４側からの無線電波を受信するアンテナ５と、無線電波を受信して電源の供給を受け、この電源を利用してＩＤデータをアンテナ５から送信する無線タグＩＣ６と、該無線タグＩＣ６のＩＤデータの送信をＯＮ／ＯＦＦ制御するアンテナスイッチ７とから成る。キー１を鍵穴２へ差し込むと、鍵穴２に設置された磁性体１０によりアンテナスイッチ７がＯＮとなり、ＩＤデータがリーダライタ４側へ送信される。リーダライタ４側では、前記ＩＤデータを予め登録しておいたデータと照合し、一致する場合に電子ロック装置を開錠するようにしている。これにより、二重のセキュリティを確保することが可能である。【選択図】  図１
2005299264.tif 000002
【特許請求の範囲】
【請求項１】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するアンテナスイッチとから成る無線タグを内臓したキーと、鍵穴に設けたリーダーライタとで構成されたキー装置であって、キーを鍵穴へ差し込んだときに前記アンテナスイッチがＯＮ動作することを特徴とする無線タグ内臓のキー装置。
【請求項２】
鍵穴側にキーが差し込まれたことを検知する第２のスイッチを設け、当該第２のスイッチと、前記アンテナスイッチとの信号を処理することにより、一定の条件の範囲内でのみ開錠するようにした請求項１に記載の無線タグ内臓のキー装置。
【請求項３】
キー本体側に、手動スイッチを設けた請求項１に記載の無線タグ内臓のキー装置。
【発明の詳細な説明】
【技術分野】
【０００１】
本発明は、キーを鍵穴へ差し込むとアンテナスイッチがＯＮ動作し、リーダライタ側からの無線電波（電磁波を含む、以下同じ）を受信して電源の供給を受け、この電源を利用してアンテナから内部のＩＤデータをリーダライタ側へ送信する無線タグを利用し、ＩＤが一致したときにのみ開錠するようにした無線タグ内臓のキー装置に関するものである。
【背景技術】
【０００２】
無線タグＩＣを利用したキー装置としては、例えば、特許文献１に記載された車両用キー装置の発明がある。この特許文献１に記載された発明は、キーとシリンダ錠との間で電気的なコード信号の授受を行うことで、キーの機械的及び電気的な正否判断を行い、正規のキーであると判断されたときに、エンジンを始動させるようにしている。
またこの特許文献１に記載された発明では、キー側又はシリンダ側のコイルや信号処理回路の故障により、電気的なコード信号の授受が行えなくなった場合には、エンジンを始動させることができないので、車両ドアの施錠／開錠を外部送信機からの遠隔操作にて行うキーレスエントリーシステムを利用して、電気的なコード信号の授受を行うようにしている。
【０００３】
また特許文献２の発明は、車両側にリーダライタを設置し、ドア開閉及びエンジン始動に用いるキーに、記憶機能及び通信機能を有する電子回路を内臓している。リーダライタが、キーの装着又は近接を検知すると、キーに内臓した電子回路の記憶部に予め記憶させたドア番号を読み出し、これを照合した上、合致しているときは、ドアロック装置を開錠させている。またキーに内臓した電子回路の記憶部に予め記憶させた車両の可動部（シート位置、ミラー角度等）及び可変部（エアコン、オーディオ等）の設定値を読み出し、これらを自動調整するようにしている。
【特許文献１】特開平９−３２３８９号公報
【特許文献２】特開平６−１０５４２号公報
【発明の開示】
【発明が解決しようとする課題】
【０００４】
ところが、特許文献１及び２に記載された発明にあっては、キーに記憶されているＩＤやドア番号等の重要な認証情報を外部から容易に認識することができ、キーを偽造される虞れがあった。
【０００５】
本発明は従来の前記課題に鑑みてこれを改良除去したものであって、ＩＤ等の重要な認証情報を外部から読み取ることのできない無線タグを利用したキー装置を提供せんとするものである。
【課題を解決するための手段】
【０００６】
而して、前記課題を解決するために本発明が採用した請求項１の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するアンテナスイッチとから成る無線タグを内臓したキーと、鍵穴に設けたリーダーライタとで構成されたキー装置であって、キーを鍵穴へ差し込んだときに前記アンテナスイッチがＯＮ動作することを特徴とする無線タグ内臓のキー装置である。
【０００７】
また本発明が採用した請求項２の手段は、鍵穴側にキーが差し込まれたことを検知する第２のスイッチを設け、当該第２のスイッチと、前記アンテナスイッチとの信号を処理することにより、一定の条件の範囲内でのみ開錠するようにした請求項１に記載の無線タグ内臓のキー装置である。
【０００８】
更に本発明が採用した請求甲３の手段は、キー本体側に、手動スイッチを設けた請求項１に記載の無線タグ内臓のキー装置である。
【発明の効果】
【０００９】
請求項１の発明にあっては、キーを鍵穴へ差し込まない限りはキーに内臓した無線タグＩＣからＩＤ等の認証データがリーダライタ側へ発信されない。またリーダライタは鍵穴側に設けられており、キーを差し込んだ状態ではキーとリーダライタとが非常に接近しており、認証データなどのやりとりを弱い送受信出力でカバーできる。そのため、無線電波の届く範囲を狭くすることができ、鍵穴の外部側から無線タグＩＣの認証データなどを読み取ることが困難となる。その結果として、キーの偽造による盗難事故等を防止することが可能である。
【００１０】
請求項２の発明は、キーを鍵穴へ差し込んだときにＯＮ動作する第２のスイッチを設けており、この第２のスイッチとキーへ内臓した無線タグのアンテナスイッチとの二つのスイッチが一定の時間範囲内で共にＯＮ動作しているとき等のように一定の条件下でのみ、開錠するようにしている。そのため、請求項１の場合よりも、更に認証データなどの漏洩事故を防止することが可能である。
【００１１】
請求項３の発明にあっては、キー本体側に手動スイッチを設けており、この手動スイッチとキーへ内臓した無線タグのアンテナスイッチとの二つのスイッチによる認証データなどの漏洩事故防止機能については、前記請求項２の場合と同じである。
【発明を実施するための最良の形態】
【００１２】
以下に、本発明の構成を図面に示す発明の実施の形態に基づいて説明すると次の通りである。図１は本発明の第１の実施の形態に係るものであり、図（Ａ）はキー１を鍵穴２へ差し込む前の状態を示す図面、図（Ｂ）はキー１を鍵穴２へ差し込んだ状態を示す図面である。同図に示す如く、キー１は、無線タグ３が内臓されている。無線タグ３は、鍵穴２に設置されたリーダライタ４側からの無線電波を受信するアンテナ５と、無線電波を受信して電源の供給を受け、この電源を利用してＩＤ（認証データ）をアンテナ５から送信する無線タグＩＣ６と、当該無線タグＩＣ６のデータの送信をＯＮ／ＯＦＦ制御するアンテナスイッチ７とで構成されている。
【００１３】
一方、鍵穴２が設けられた躯体８側にあっては、鍵穴２に近接してリーダライタ４が設けられており、該リーダライタ４は電子ロック装置９に配線接続されている。また躯体８の鍵穴２に臨む位置には、磁性体１０が埋め込まれている。
【００１４】
而して、図１の図（Ａ）の状態からキー１を鍵穴２へ差し込んで、同図の図（Ｂ）に示す状態へ移行すると、キー１に内臓された無線タグ３のアンテナスイッチ７が、鍵穴２の奥部内面に設置された磁性体１０の磁力を受けてＯＮとなる。アンテナスイッチ７がＯＮ動作すると、アンテナ５がリーダライタ４側からの無線電波を受信して電源の供給を受け、無線タグＩＣ６の動作用の電源が確保される。これにより、無線タグＩＣ６は、内部に保存されていた認証データ（ＩＤ）をアンテナ５からリーダライタ４側のアンテナ（図示せず）へ無線電波で送信するようになる。そして、リーダライタ４側では、前記送信されてきたＩＤが予め登録されたものであるかどうかを判定し、予め登録されたものと一致する場合は、電子ロック装置９を開錠させている。
【００１５】
このように、第１の実施の形態のキー装置にあっては、鍵穴２へキー１を差し込まない限りは、キー１に内臓された無線タグＩＣ６の認証データ（ＩＤ）が出力されることはない。またリーダライタ４は鍵穴２側に設けられており、キー１を差し込んだ状態ではキー１とリーダライタ４とが非常に接近した状態となり、認証データなどのやりとりを弱い電波出力でカバーできる。そのため、鍵穴２の外部側から無線タグＩＣ６の認証データなどを読み取ることが困難であり、キー１の偽造による盗難事故等を防止することが可能である。
【００１６】
図２は本発明の第２の実施の形態に係るものであり、図（Ａ）はキー１を鍵穴２へ差し込む前の状態を示す図面、図（Ｂ）はキー１を鍵穴２へ差し込んだ状態を示す図面、図（Ｃ）はキー装置のタイムチャートを示す図面である。この第２の実施の形態では、第１の実施の形態のキー装置の構成に加えて、鍵穴２の奥部内面に、第２のスイッチ１２を設置している。この第２のスイッチ１２は、鍵穴２へ差し込まれたキー１の先端面と当接して押圧付勢されることでＯＮ動作するようになっている。
【００１７】
次に、このように構成された第２の実施の形態のキー装置の動作態様を説明する。キー１を鍵穴２へ差し込むと、キー１に内臓された無線タグ３のアンテナスイッチ７が、鍵穴２の奥部内面に設置された磁性体１０の磁力を受けてＯＮとなり、アンテナスイッチ７がＯＮ動作する。そして、アンテナ５がリーダライタ４側からの無線電波を受信して電源の供給を受け、無線タグＩＣ６の動作用の電源が確保される。これにより、無線タグＩＣ６は、内部に保存されていた認証データ（ＩＤ）をアンテナ５からリーダライタ４側のアンテナ（図示せず）へ無線電波で送信するようになる。ここまでは、前記第１の実施の形態の場合と同じである。
【００１８】
この第２の実施の形態では、キー１を鍵穴２の奥まで差し込むと、その先端が第２のスイッチ１２を押圧付勢してＯＮ動作させるようになっている。この第２のスイッチ１２のＯＮ信号は、リーダライタ４側へ出力され、これが出力されたタイミングと、前記無線タグＩＣ６からのＩＤが出力されたタイミングとを対比させている。そして、第２のスイッチ１２がＯＮ出力されたときの前後の所定時間の範囲内に、前記キー１の無線タグＩＣ６からのＩＤ情報を受信したときに限り、前記送信されてきたＩＤが予め登録されたものであるかどうかを判定し、予め登録されたものと一致する場合は、電子ロック装置９を開錠させるようにしている。
このように、この第２の実施の形態では二重のセキュリティを施しており、より安心して使用することが可能である。
【００１９】
図３は、本発明の第３の実施の形態に係るキー１を示すものである。同図に示す如く、キー１のアンテナ５の回路には、手動スイッチ１３が設けられている。その他の構成は、前記第１の実施の形態の場合と同じである。従って、この実施の形態の場合は、キー１を鍵穴２へ差し込んで鍵穴２に設置した磁性体１０の磁力により、無線タグＩＣ３のアンテナスイッチ７をＯＮ動作させる動作の他に、手動スイッチ１３を操作員がＯＮ動作させなければアンテナ５の回路が形成されない。つまり、手動スイッチ１３を操作せずに、ＯＦＦのままでキー１を鍵穴２へ差し込んでも無線タグ３のアンテナ回路５が閉成されないので、無線タグＩＣ６からＩＤ情報が出力されることはない。ＩＤ情報が出力されるためには、手動スイッチ１３をＯＮに切り替えた後、キー１を鍵穴２へ差し込むことが必要である。
【００２０】
これにより、キー１に内臓された無線タグ３のアンテナスイッチ７が、鍵穴２の奥部内面に設置された磁性体１０の磁力を受けてＯＮとなり、アンテナ５の回路が閉成される。アンテナ５は、リーダライタ４側からの無線電波を受信して電源の供給を受けるようになり、無線タグＩＣ６の動作用の電源が確保される。無線タグＩＣ６は、内部に保存されていたＩＤデータを、アンテナ５からリーダライタ４側のアンテナへ無線電波で送信する。リーダライタ４側では、前記送信されてきたＩＤが予め登録されたものであるかどうかを判定し、予め登録されたものと一致する場合は、電子ロック装置９を開錠させている。            このように、この第３の実施の形態の場合も二重のセキュリティを施しており、より安心して使用することが可能である。
【図面の簡単な説明】
【００２１】
【図１】本発明の第１の実施の形態に係るものであり、図（Ａ）はキーを鍵穴へ差し込む前の状態を示す図面、図（Ｂ）はキーを鍵穴へ差し込んだ後の状態を示す図面である。
【図２】本発明の第２の実施の形態に係るものであり、図（Ａ）はキーを鍵穴へ差し込む前の状態を示す図面、図（Ｂ）はキーを鍵穴へ差し込んだ後の状態を示す図面、図（Ｃ）は二つのスイッチの信号処理方法を示すタイムチャートである。
【図３】本発明の第３の実施の形態に係るものであり、図（Ａ）はキーを鍵穴へ差し込む前の状態を示す図面、図（Ｂ）はキーを鍵穴へ差し込んだ後の状態を示す図面である。
【符号の説明】
【００２２】
１…キー、２…鍵穴、３…無線タグ、４…リーダライタ、５…アンテナ、６…無線タグ  ＩＣ、７…アンテナスイッチ、８…躯体、９…電子ロック装置、１０…磁性体、１２…  第２のスイッチ、１３…手動スイッチ
【図１】
2005299264.tif 000003
【図２】
2005299264.tif 000004
【図３】
2005299264.tif 000005